(57)【要約】      （修正有）【課題】水中における安全停止中も両手が使え、かつ袋体の紐を解く作業及び水面上に浮上した際に該紐を回収する作業を不要ならしめたシグナルフロート装置を提供する。【解決手段】気体の出し入れにより膨縮する袋体１の一端に紐３を取り付けてなるシグナルフロート装置において、重り５を備えさせ、該重りには該袋体の紐を繰り出し自在に巻付けるための巻付け部７を設け、該巻付け部の先端には、該巻付け部に該紐を巻付けた状態で該重りを水中にて落下させたときに、該紐が該巻付け部から一挙に脱出することなく該巻付け部から徐々に繰り出されるようにするための拡開部９を設け、該拡開部には該紐を巻付けて固定するための紐固定部１１を備えさせ、該重りには、該巻付け部に巻付けた該紐の先端を係止するための紐先端係止手段１３ａと、該重りを水中ジャケット１５に係脱自在に係止するための重り係止手段１７とを備えさせる。【選択図】図１
0003178389.tif 000002
【実用新案登録請求の範囲】
【請求項１】
気体の出し入れにより膨縮する袋体の一端に紐を取り付けてなるシグナルフロート装置において、
重りを備えさせ、該重りには該袋体の紐を繰り出し自在に巻付けるための巻付け部を設け、該巻付け部の先端には、該巻付け部に該紐を巻付けた状態で該重りを水中にて落下させたときに、該紐が該巻付け部から一挙に脱出することなく該巻付け部から徐々に繰り出されるようにするための拡開部を設け、該拡開部には該紐を巻付けて固定するための紐固定部を備えさせ、該重りには、該巻付け部に巻付けた該紐の先端を係止するための紐先端係止手段と、該重りを水中ジャケットに係脱自在に係止するための重り係止手段とを備えさせたことを特徴とするシグナルフロート装置。
【請求項２】
前記紐先端係止手段は、前記重りにおける前記巻付け部の近傍に該重りを貫通する第一透孔を形成し、該重りにおける該巻付け部に臨む面から該第一透孔に至る紐通し孔を形成してなることを特徴とする請求項１に記載のシグナルフロート装置。
【請求項３】
前記重り係止手段は、前記重りを貫通する第二透孔を形成してなることを特徴とする請求項１又は２に記載のシグナルフロート装置。
【考案の詳細な説明】
【技術分野】
【０００１】
本考案は、標識となる袋体を水面上に突出させるようにしたシグナルフロート装置に関するものである。更に詳しくは、本考案は、潜水しているダイバーが水面上に浮上するに際して、水上オートバイ（水上バイク）、モーターボートその他の船舶等に対し、衝突等の危険から身を守るために、自己が浮上すべき位置を予め知らせ、或いは、潜水しているダイバーが水面上に浮上するに際して、他のダイバー若しくは自己が乗船すべきボート等の救助を求めるために、自己が浮上すべき位置を予め知らせるようにしたシグナルフロート装置に係るものである。
【背景技術】
【０００２】
シグナルフロート装置としては、気体の出し入れにより膨縮する袋体の一端に紐を取り付けてなるもの（以下「従来のシグナルフロート装置」という。）が従来より使用されている。
【０００３】
従来のシグナルフロート装置において、潜水しているダイバーが水面上に浮上するに際には、ダイバーは、次のようになす。
（１）ダイバーは、水中ジャケットのポケット等に収納しているシグナルフロート装置を水中で取り出し、袋体の紐を水中で解き、該袋体又は該紐における該袋体に近接する部分を片手で把持した状態で該紐を下方に落下させる。
（２）ダイバーは、袋体に気体を注入する。
（３）ダイバーは、紐を片手で把持した状態で袋体を放す。しかるときは、袋体は上昇し、水面上に突出する。
（４）減圧症を予防するために、ダイバーは、水深約５メートルの位置にて、紐を片手で把持した状態で、少なくとも３分間安全停止する。
（５）安全停止の完了後、ダイバーは、水面上に浮上し、袋体の紐を回収する。
【考案の概要】
【考案が解決しようとする課題】
【０００４】
しかるに、従来のシグナルフロート装置においては、次のような問題が生ずる。
【０００５】
（イ）水中で袋体の紐を解く作業は面倒であり、かなりの時間を要する。
（ロ）ダイバーは、上述の如く水中にて少なくとも３分間安全停止するのであるが、この安全停止中は紐を片手で把持し続けなければならないため、他の動作を行うことが困難である。したがって、安全停止の時間が実際よりも長く感じられる。
（ハ）水面上に浮上し、袋体の紐を回収する際に、該紐がからむ。
【０００６】
本考案は、従来のシグナルフロート装置における上述の如き問題を解消し、水中における安全停止中も両手が使えるようにし、水中における袋体の紐を解く作業及び水面上に浮上した際に該紐を回収する作業を不要ならしめたシグナルフロート装置を提供しようとしてなされたものである。
【課題を解決するための手段】
【０００７】
本考案は、上記課題を解決するために、下記のシグナルフロート装置を提供する。
【０００８】
[１]気体の出し入れにより膨縮する袋体の一端に紐を取り付けてなるシグナルフロート装置において、
重りを備えさせ、該重りには該袋体の紐を繰り出し自在に巻付けるための巻付け部を設け、該巻付け部の先端には、該巻付け部に該紐を巻付けた状態で該重りを水中にて落下させたときに、該紐が該巻付け部から一挙に脱出することなく該巻付け部から徐々に繰り出されるようにするための拡開部を設け、該拡開部には該紐を巻付けて固定するための紐固定部を備えさせ、該重りには、該巻付け部に巻付けた該紐の先端を係止するための紐先端係止手段と、該重りを水中ジャケットに係脱自在に係止するための重り係止手段とを備えさせたことを特徴とするシグナルフロート装置（請求項１）。
【０００９】
［２］前記紐先端係止手段は、前記重りにおける前記巻付け部の近傍に該重りを貫通する第一透孔を形成し、該重りにおける該巻付け部に臨む面から該第一透孔に至る紐通し孔を形成してなる（請求項２）。
【００１０】
［３］前記重り係止手段は、前記重りを貫通する第二透孔を形成してなる（請求項３）。
【００１１】
本考案において「水中ジャケット」とは、スクーバダイビングにおいてダイバーが着用する浮力調整装置をいうものとする。水中ジャケットは「ＢＣ」ないし「ＢＣＤ」とも呼ばれている。
【考案の効果】
【００１２】
考案の効果をわかり易くするため、まず、本考案によるシグナルフロート装置の使用について説明する。
【００１３】
ダイバーは、袋体の紐を予め重りの巻付け部に繰り出し自在に巻き付けた状態で、シグナルフロート装置を水中ジャケットのポケット等に収納しておく。
潜水しているダイバーが水面上に浮上するに際には、ダイバーは次のようになす。
（１）ダイバーは、水中でシグナルフロート装置を取り出し、袋体又は紐における該袋体に近接する部分を片手で把持した状態で、重りを下方に落下させる。図４参照。
（２）ダイバーは、袋体に気体を注入する。
（３）ダイバーは、紐を片手で軽く把持した状態で袋体を放す。しかるときは、袋体は上昇し、水面上に突出する。その間、紐はダイバーの指間をすり抜けて上昇し、重りもダイバー付近まで上昇する。
（４）ダイバーは、重りを重り係止手段により水中ジャケットに係止する。図５参照。
（５）減圧症を予防するために、ダイバーは、水深約５メートルの位置にて、少なくとも３分間安全停止する。
（６）安全停止の完了後、ダイバーは、紐を重りの巻付け部に巻付けながら水面上に浮上する。図６参照。
（７）ダイバーが水面上に浮上したときには、紐の巻付け作業も完了している。
【００１４】
［請求項１の考案］
請求項１の考案は、下記の如き効果を発揮する。
【００１５】
（Ａ）ダイバーは、水中でシグナルフロート装置を取り出し、袋体又は紐における該袋体に近接する部分を片手で把持した状態で、重りを下方に落下させるのであるから、従来のシグナルフロート装置の如く水中で袋体の紐を解くという面倒な作業は不要である。
【００１６】
（Ｂ）重りの巻付け部には拡開部を設けたため、巻付け部に紐を巻付けた状態で重りを水中にて落下させたときに、該紐が該巻付け部から一挙に脱出することなく該巻付け部から円滑に徐々に繰り出される。
【００１７】
（Ｃ）該拡開部には紐を巻付けて固定するための紐固定部を備えさせたため、該拡開部から袋体までの紐の長さを所望の値に設定することができる。
【００１８】
（Ｄ）重りには、該巻付け部に巻付けた該紐の先端を係止するための紐先端係止手段を設けたため、紐の先端を重りに確実に係止することができる。
【００１９】
（Ｅ）ダイバーは、重りを重り係止手段により水中ジャケットに係止した状態で、減圧症予防のための安全停止を行うことができる。換言すれば、ダイバーは、安全停止の時間中、紐を手で把持している必要がなく、両手を自由に使うことができる。
【００２０】
（Ｆ）安全停止の完了後、ダイバーは、紐を重りの巻付け部に巻付けながら水面上に浮上するのであり、ダイバーが水面上に浮上したときには、紐の巻付け作業も完了している。したがって、従来のシグナルフロート装置の如く袋体の紐を回収する際に該紐がからむという問題は解消する。
【００２１】
（Ｇ）本考案のシグナルフロート装置は、構造が簡単であって安価であり、容易に使用することができる。
【００２２】
[請求項２の考案]
前記紐先端係止手段は、前記重りにおける前記巻付け部の近傍に該重りを貫通する第一透孔を形成し、該重りにおける該巻付け部に臨む面から該第一透孔に至る紐通し孔を形成してなるものであるため、紐の先端を紐通し孔から第一透孔内に導入し、例えば該先端に抜け止め用の結び目を形成すれば、該紐が重りから外れるおそれはない。
【００２３】
海中で紐を巻付け部に巻付ける際に指を第一透孔に押し付けることにより、滑り止めの効果が発揮される。
【００２４】
[請求項３の考案]
前記重り係止手段は、前記重りを貫通する第二透孔を形成してなるものであるため、重りを水中ジャケットに確実に係止することができる。
【図面の簡単な説明】
【００２５】
【図１】図１は、本考案によるシグナルフロート装置の一例を示す正面図である。
【図２】図２は、重りを示す斜視図である。
【図３】図３は、図２のＩＩＩ−ＩＩＩ線における断面図である。
【図４】図４は、ダイバーが袋体又は紐における該袋体に近接する部分を片手で把持し、重りを下方に落下させた状態を示す正面図である。
【図５】図５は、重りを水中ジャケットに係止した状態を示す正面図である。
【図６】図６は、ダイバーが水面上に浮上した状態を示す正面図である。
【考案を実施するための形態】
【００２６】
本考案によるシグナルフロート装置は、気体の出し入れにより膨縮する袋体１の一端にロープ等の紐３を取り付けているという点においては、従来のシグナルフロート装置と共通する。紐３には、所望の間隔で目印を付してもよい。
【００２７】
しかして、本考案によるシグナルフロート装置は、重り５を備えている。重り５は、一例として約１６０〜１７０グラムの重さを有する金属体とし、ダイバーが片手で把持するに適した形状と大きさとを備えている。
【００２８】
重り５には、袋体１の紐３を繰り出し自在に巻付けるための巻付け部７を設ける。図１〜図３に示す事例においては、巻付け部７として、重り５の一端に枠状体を突設している。
【００２９】
巻付け部７の先端には、該巻付け部７に袋体１の紐３を巻付けた状態で重り５を水中にて落下させたときに、該紐３が該巻付け部７から一挙に脱出することなく該巻付け部７から徐々に円滑に繰り出されるようにするための拡開部９を設ける。図示の事例における拡張部９は、巻付け部７の先端に一対の棒状体９ａ、９ａを、該棒状体９ａ、９ａ間の間隔が該巻付け部７から離れるに従って徐々に大きくなるように、突設してなるものである。
【００３０】
該拡開部９には袋体１の紐３を巻付けて固定するための紐固定部１１を備えさせる。図示の事例における紐固定部１１は、拡張部９を形成する各棒状体９ａ、９ａの先端を折り返してなるものである。紐３は、所望の部分を該紐固定部１１に固定することができる。
【００３１】
重り５には、巻付け部７に巻付けた紐３の先端３ａを係止するための紐先端係止手段１３を備えさせる。紐先端係止手段１３は、好ましくは、該重り５における巻付け部７の近傍に重り５を貫通する第一透孔１３ａを形成し、該重り５における該巻付け部７に臨む面５ａから該第一透孔１３ａに至る紐通し孔１３ｂを形成してなるものとする。なお、該重り５における巻付け部７の近傍には、第一透孔１３ａの他に、別の透孔（図示せず。）を形成し、当該別の透孔に指を掛けるようにしてもよい。
【００３２】
更に、重り５には、該重り５を水中ジャケット１５に係脱自在に係止するための重り係止手段１７を備えさせる。該重り係止手段１７は、好ましくは、該重り５を貫通する第二透孔１７ａを形成してなるとする。符号１９に示すものは、水中ジャケット１５に備えさせた固定具であり、該固定具１９を重り係止手段１７に係止することにより重り５を水中ジャケット１５に係脱自在に係止する。なお、符号２１に示すものはダイバーである。
【符号の説明】
【００３３】
１  袋体
３  紐
３ａ  先端
５  重り
５ａ  巻付け部に臨む面
７  巻付け部
９  拡開部
９ａ  棒状体
１１  紐固定部
１３  紐先端係止手段
１３ａ  第一透孔
１３ｂ  紐通し孔
１５  水中ジャケット
１７  重り係止手段
１７ａ  第二透孔
１９  固定具
２１  ダイバー
【図１】
0003178389.tif 000003
【図２】
0003178389.tif 000004
【図３】
0003178389.tif 000005
【図４】
0003178389.tif 000006
【図５】
0003178389.tif 000007
【図６】
0003178389.tif 000008